(57)【特許請求の範囲】
【請求項１】
格子状盤体からなり、一部を切り欠き上下に人が通り抜け可能な開口部を形成してマンホールの立て坑内の途中でほぼ水平に敷設されるステージ本体（１）と、
前記開口部の内周縁に設けた係止部材に受け支えられて該開口部に蓋ができる蓋体（２）と、
一端が前記開口部の両側縁に接続し、他端がステージ本体の下側へ下降傾斜して互いに平行配設される一対のガイドレール（３）と、を具備し、
前記蓋体を前記係止部材上から該ガイドレール上へ移送させることによりステージ本体の下面側に蓋体を収納し開口部を開けるようにしたことを特徴とするマンホール立て坑内設置の中間ステージ。
【請求項２】
前記蓋体の両側に外方へ突出する軸体が設けられる一方、該軸体を挿入し得る長孔が前記開口部を形成するステージ本体の盤壁からガイドレールの起立壁へと設けられて、蓋体の該軸体が該長孔に遊挿状態で嵌入されてなる請求項１記載のマンホール立て坑内設置の中間ステージ。
【発明の詳細な説明】
【０００１】
【発明の属する技術分野】
本発明は、地下の下水道や共同溝などに路面から人が出入りできるようにしたマンホールにあって、その立て坑内に敷設されるマンホール立て坑内設置の中間ステージに関する。
【０００２】
【従来の技術】
地下の雨水，下水道等へ路面から人が出入りできるように設けたマンホールＭＨにあって、マンホール立て坑Ｋが深い所では中間ステージ９が設けられることがある（図１０）。この中間ステージはマンホール用中間スラブやマンホール用中間作業所等とも呼ばれている。従来の中間ステージ９の一例を図１１，図１２に示す。図中、符号７３は地上に設置されるマンホール蓋、符号ｊは立て坑Ｋの壁面に固着される支持部材で、該支持部材ｊで中間ステージ９のステージ本体９１を受け支えている。
該中間ステージ９は作業者の転落防止に役立ち、また作業者が地上から荷物を運んで降りるときにここで荷物を一旦降ろして休憩等ができるため、安全性を高めるものとなっている。
【０００３】
【発明が解決しようとする課題】
しかるに、従来の中間ステージ９は、さらに下に降りようとする場合、開口部９３を塞いでいた蓋体９２を取り外すことになるが、取り外された蓋体９２はステージ本体９１上に置かねばならず、その置き場所に困っていた。特に荷物があると邪魔になった。また、立て坑Ｋに横孔Ｙを設け該横孔Ｙに地下ケーブル等が配設されることがあり（図１０）、中間ステージ９で荷物を置いて点検作業をしなければならない場合は、ステージ本体９１の上に蓋体９２を置くと、躓いたりコケたりして怪我や開口部９３から転落する虞れがあった。
【０００４】
本発明は上記問題点を解決するもので、開口部を開けた状態にしても蓋体をステージ本体上に置かないようにして安全性，作業性向上に役立つマンホール立て坑内設置の中間ステージを提供することを目的とする。
【０００５】
【課題を解決するための手段】
上記目的を達成すべく、請求項１に記載の発明の要旨は、格子状盤体からなり、一部を切り欠き上下に人が通り抜け可能な開口部を形成してマンホールの立て坑内の途中でほぼ水平に敷設されるステージ本体（１）と、前記開口部の内周縁に設けた係止部材に受け支えられて該開口部に蓋ができる蓋体（２）と、一端が前記開口部の両側縁に接続し、他端がステージ本体の下側へ下降傾斜して互いに平行配設される一対のガイドレール（３）と、を具備し、前記蓋体を前記係止部材上から該ガイドレール上へ移送させることによりステージ本体の下面側に蓋体を収納し開口部を開けるようにしたことを特徴とするマンホール立て坑内設置の中間ステージにある。
請求項２の発明たるマンホール立て坑内設置の中間ステージは、請求項で、蓋体の両側に外方へ突出する軸体が設けられる一方、該軸体を挿入し得る長孔が前記開口部を形成するステージ本体の盤壁からガイドレールの起立壁へと設けられて、蓋体の該軸体が該長孔に遊挿状態で嵌入されてなることを特徴とする。
【０００６】
請求項１の発明のごとく、ガイドレールを備えて、蓋体を係止部材上からガイドレール上へ移送させることによりステージ本体の下面側に蓋体を収納し開口部を開けるようにすると、ステージ本体上には蓋体が載ることがないので蓋体で躓いたりコケたりすることがない。
請求項２の発明のごとく、軸体と長孔が設けれると、軸体が長孔に案内ガイドされる形で蓋体が動くことになり、無駄な動きがなくなってスムーズな動きになる。且つ軸体が長孔に遊挿された状態にあるので、軸体と一体の蓋体がガイドレールから脱落し難くなる。
【０００７】
【発明の実施の形態】
以下、本発明のマンホール立て坑内設置の中間ステージについて詳述する。
（１）実施形態１
図１〜図７は、本発明に係るマンホール立て坑内設置の中間ステージ（以下、単に「中間ステージ」という。）の一形態で、図１はステージ本体から蓋体を取り外した分解平面図、図２は中間ステージの横断面図、図３，図４は図２の状態から蓋体を収納させる動作説明図、図５はステージ本体の盤壁からガイドレールの起立壁に設けた長孔の形状を示す中間ステージの横断面図、図６はガイドレール上に蓋体を載せた状態の部分側面断面図、図７は他態様の中間ステージの部分斜視図である。尚、図面を判りやすくするため、実施形態１，２の図面で断面を示すハッチング表示を適宜省略している。
【０００８】
中間ステージはステージ本体１と蓋体２とガイドレール３とを備える。中間ステージは、格子状盤体からなり、複数の分割盤（ここでは３つ）を組み合わせたものである。立て坑Ｋ内の所定位置で立て坑壁に固着した支持部材１１ｄ〜１１ｆ上に３つの分割盤１ａ〜１ｃを載せ、止具１６で分割盤同士１ａ〜１ｃが互いに固定されている。それぞれの分割盤１ａ〜１ｃはＦＲＰなどの繊維強化プラスチック製或いは金属製である。止具１６たるボルト，ナットで互いに固定する箇所は透孔が形成されている。止具１６で分割盤１ａ〜１ｃを固定すれば、一部を切り欠き上下に人が通り抜け可能な開口部１２（６００ｍｍ×６００ｍｍ程度）を図１の右方側に形成してマンホールの立て坑Ｋ内の途中で上面が平らでほぼ水平に敷設されるステージ本体１が出来上がる。分割盤１ｂには開口部１２の内周縁側に開口部１２内へ向けて水平に張り出す鍔状の係止部材１１ａが、また分割盤１ａ，１ｃにも開口部１２の内周縁側に開口部１２内へ向けて相対向するように水平に張り出す鍔状の係止部材１１ｂ，１１ｂが設けられる。分割盤１ａ，１ｃの開口部側の側縁は図示のごとく互いに平行である。係止部材１１ａ，１１ｂは開口部側の内周縁全てに設ける必要はなく、部分的に設けることが出来る。ここでは、立て坑壁にも開口部１２内に係止部材１１ｃが設けられる。これらの係止部材１１ａ〜１１ｃは同一水平位置にあり、該係止部材１１ａ〜１１ｃ上に蓋体２を載せれば開口部１２に蓋がされるようになる。
【０００９】
蓋体２はその平面視の大きさが開口部１２の平面視の大きさにほぼ匹敵する格子状盤体である。蓋体２は、前述のごとく、前記開口部１２の内周縁に設けた係止部材１１ａ〜１１ｃに受け支えられて該開口部１２に蓋ができ、蓋をすることによって立て坑Ｋ内の途中の所定箇所で格子状盤体で敷き詰めた中間ステージを完成する。ステージ本体１の上面と蓋体２の上面は面一になる。蓋体２もＦＲＰなどの繊維強化プラスチック製或いは金属製である。マンホール蓋７３を外して深い立て坑Ｋ内を降りてくる作業者はこの立て坑Ｋを横断し水平に仕切った中間ステージ上で一休みできる。
一方、該蓋体２は少し持ち上げてガイドレール３上へ移送させれば、ステージ本体１の下面側に該蓋体２を収納できるようになっている。
【００１０】
ガイドレール３は一端３１が前記開口部１２の両側縁（分割盤１ａ，１ｃに係る開口部１２側の側縁）に在る前記係止部材１ｂ，１ｂに接続し、他端３２がステージ本体１の下側へ１５°〜３０°程度の角度で下降傾斜して互いに平行配設される一対の案内受け部材である。該ガイドレール３は横断面Ｌ字形の長手方向等断面の長尺部材で、該長尺部材の両底辺部分３３で蓋体２を受け支えできるようにしている（図６）。前記係止部材１１ｂ，１１ｂは係止部材１１ａと少し離して分割盤１ａ，１ｃの開口部側周縁に設置しており、蓋体２のガイドレール３への導入口３５を形成する格好で、両ガイドレール３の一端がそれぞれの係止部材１１ｂの端部１１ｂ１にステージ本体１の下方から上昇傾斜してつながっている。そして、両ガイドレール３が図２のように分割盤１ｂの在る左方に向けて該分割盤１ｂの下側に潜る形で下降傾斜し、蓋体２の長さ分ほど進んだ所で両ガイドレール３の他端がステージ本体１から吊るした吊設部材４１で保持されるようにしている。かくして、図２で、開口部１２に蓋をした蓋体２を持ち上げた後、係止部材１１ａによる支持を外すように少し右方へ蓋体２を移動させれば、導入口３５から蓋体２をガイドレール３上に送り込むことができる構成にある。開口部１２が蓋された状態にある蓋体２は前記係止部材１１ａ〜１１ｃ上からガイドレール３上へ移送させることによりステージ本体１の下面側に蓋体２を収納し開口部１２を開けるようにできる。吊設部材４１はガイドレール他端３２の底辺部分３３の位置まで達しており、蓋体２のストッパを兼ねる。ガイドレール３上を滑動して分割盤１ｂの下方位置に収納移送される蓋体２は該吊設部材４１に当たって止まる。
【００１１】
本実施形態では、蓋体２たる蓋本体２１の両側に外方へ突出する軸体２２が設けられ、加えて、該軸体２２を挿入し得る長孔Ｏが前記開口部１２を形成するステージ本体１の盤壁１４からガイドレール３の起立壁３４へと設けられて、蓋体２の該軸体２２が該長孔Ｏに遊挿状態で嵌入される構成にある。具体的には、図５のように分割盤１ａ（ステージ本体１）の開口部１２に面する起立盤壁１４からガイドレール起立壁３４の他端３２近くまでヘアピン状の長孔Ｏを設ける。起立盤壁１４の長孔Ｏ１は水平で、ガイドレール起立壁３４の長孔Ｏ２はガイドレール３の傾斜と同じ傾斜角度を有する。一方、蓋体２の両側の盤壁に該長孔Ｏに遊挿し得る軸体２２を固着する。両軸体２２の先端部分には雄螺子２２ａが形成されており、軸体２２を長孔Ｏに挿入後、ナット５を雄螺子２２ａに螺着する。長孔Ｏ，軸体２２，ナット５を設けることによってガイドレール３からの蓋体２の脱落を防ぎ、さらに開口部１２の位置からガイドレール３への蓋体２の移送を円滑にさせている。
符号４２は補強用当て板で、図４にのみ示し、他図では省略する。符号７２は開口部１２の立て坑壁面側に設けた梯子を示す。
【００１２】
図７は別態様の軸体２２の模様を示す部分斜視図である。図１〜図６では蓋体２の蓋壁に軸体２２を直接固着するが、図７では蓋体２の中に転動自在の円柱形ローラ６１が収められ、該ローラ６１の両端に軸体６２を固着する。該軸体６２は蓋体２の蓋壁に設けた円孔２４を遊挿し、さらにガイドレール起立壁３４の長孔Ｏに遊挿して軸体６２の先端部分に形成した雄螺子部６２ａが外方へ突き出す。該雄螺子部６２ａにナット５を螺着する。ローラ６１は蓋体下面より若干下方へ突出しており、ローラ６１の回転によって蓋体２の開口部１２からガイドレール３への移送をより円滑にさせる。
【００１３】
次に、開口部１２の開け閉め動作を説明する。通常、蓋体２は前述のごとく係止部材１１ａ〜１１ｃの上に載っていて、開口部１２が閉ざされた状態にある。作業者がマンホール蓋７３を開けて立て坑Ｋ内を降りてきて中間ステージ上で作業等をするとき、さらに降下するときなどに、開口部１２が開けられる。開口部１２を開ける場合は、まず図２の鎖線で示すように係止部材１１ｃがある立て坑壁側の蓋体部分すなわち蓋体尻部２９を持ち上げる。次に、立て坑壁側の該蓋体尻部２９を図３の矢印方向へ移動させる。蓋体尻部２９を持ち上げつつ図３の矢印方向へ移動させてもよい。そうすると、蓋体２が係止部材１１ａから外れてガイドレール３の底辺部分３３に載る。軸体２２がある蓋体２の先端部分２８がガイドレール３の導入口３５に収まる。その後、蓋体尻部２９を押していけば、蓋体２がガイドレール３上を滑動して先端部分２８が吊設部材４１に当たる。当たったところで蓋体２が止まる。蓋体２は中間ステージの下面側下方位置に収納保持されて、図４のように開口部１２が開いた状態になる。
【００１４】
一方、開口部１２が開いた状態から蓋をしようとする場合は、図４で、蓋体尻部２９を右斜め上方に引き上げる。そして、蓋体先端部分２８が導入口３５のところにきた段階で（図３の鎖線）、蓋体全体を傾斜状態から水平にする。蓋体２が水平になったところで、蓋体２を分割盤１ｂ側へ押し、蓋体２を係止部材１１ａ上に載せる。かくごとくして、開口部１２が開いた状態から蓋体２で開口部１２に蓋することができる。
【００１５】
ここで、前記蓋体２の一連の動きと一緒に、軸体２２が長孔Ｏ内を動いている。実際には蓋体２の上記一連の動きをスムーズにするような長孔形状が設けられており（図５）、軸体２２がこの長孔Ｏに遊挿されて蓋体２の不必要な無駄な動きを規制している。
【００１６】
このように構成した中間ステージは、開口部１２を開けた状態にしたとき、蓋体２がガイドレール３，吊設部材４１に支えられてステージ本体１の下側に潜り込んで収納されるので、中間ステージ上面を広く有効利用できる。狭い中間ステージにあって、そのステージ本体１の全面を活用できる。従来のように、開口部１２に蓋をしていた蓋体２がステージ本体１上に載っていた場合は、作業の邪魔になったり、躓いて転んだりして危険であったが、本発明ではステージ上にそもそも蓋体２を置かないため、こうした危険性は全くない。蓋体２の上に荷物を置いたときは荷物が不安定になったりして危なかったが、こうした問題も解消する。
また、既述のごとく軸体２２（６２）が長孔Ｏに遊挿状態で嵌入されると、軸体２２（６２）が蓋体２と一体化していることから、長孔Ｏにそって蓋体２を円滑に移送できる。ガイドレール３からの蓋体２の外れ防止にも役立つ。開口部１２の開け閉めがスムーズになる。図７のようなローラ６１を設けた場合はローラ６１の転動により蓋体２を一層円滑に移送できる。
さらに、軸体２２（６２）に雄螺子部２２ａ（６２ａ）を形成し、該軸体２２（６２）を長孔Ｏに遊挿させた後、ナット５で螺着させた場合は、蓋体２がガイドレール３から外れ落ちることがなくなり、安全性が一層高まる。
【００１７】
（２）実施形態２
本実施形態の中間ステージは、図８，図９のごとく、実施形態１のガイドレール３に代えて横断面コ字形の長手方向等断面のガイドレール３を用いたものである。両ガイドレール３で蓋体２を両側から挟み込み、コ字形の溝ｕ内に蓋体２の両側部分を入れ込み、蓋体２がガイドレール３から外れないようにして受け支えられる。起立壁３４の上縁から張り出す上辺部分３６が蓋体２の外れ防止，浮き上がり防止に役立っている。従って、実施形態１のような軸体２２はいらなくなる。勿論、長孔Ｏも不要になる。蓋体２はガイドレール３の底辺部分３３上を滑動しながら移送される。
他の構成は実施形態１と同様で、その説明を省く。実施形態１と同一符号は同一又は相当部分を示す。
【００１８】
このように構成した中間ステージは、ガイドレール３として横断面コ字形の長尺部材を用い、両コ字形の溝ｕ内に蓋体２の両側部分を入れ込んでいるので、実施形態１の軸体２２や長孔Ｏがなくとも、蓋体２がガイドレール３から外れ落ちることがない。前述した実施形態１と同様の作用，効果を得ながら、シンプルな構造になっている。コスト低減に役立つ。
【００１９】
尚、本発明においては、前記実施形態に示すものに限られず、目的，用途に応じて本発明の範囲で種々変更できる。ステージ本体１，蓋体２，ガイドレール３，吊設部材４１等の形状，大きさ，個数，材質等は用途に合わせて適宜選択できる。
【００２０】
【発明の効果】
以上のごとく、本発明のマンホール立て坑内設置の中間ステージは、開口部を開けた状態にしても、蓋体をステージ本体上に置かずに済ませることが可能で、安全性，作業性向上に優れた効果を発揮する。
【図面の簡単な説明】
【図１】実施形態１のマンホール立て坑内設置の中間ステージの一形態で、蓋体を別置きした分解平面図である。
【図２】中間ステージの横断面図である。
【図３】図２の状態から蓋体を収納させる動作説明図である。
【図４】図２の状態から蓋体を収納させる動作説明図である。
【図５】ステージ本体の盤壁からガイドレールの起立壁に設けた長孔の形状を示す中間ステージの横断面図である。
【図６】ガイドレール上に蓋体を載せた状態の部分側面図である。
【図７】他態様の中間ステージの部分斜視図である。
【図８】実施形態２で、ガイドレール上に蓋体を載せた状態の部分側面図である。
【図９】図３に対応する実施形態２の蓋体が収納される動作説明図である。
【図１０】従来技術の説明断面図である。
【図１１】従来技術のマンホール立て坑内設置の中間ステージの説明平面図である。
【図１２】図１１の断面説明図である。
【符号の説明】
１              ステージ本体
１１ａ〜１１ｃ  係止部材
１２            開口部
２              蓋体
２２，６２      軸体
３              ガイドレール
３１            一端
３２            他端
Ｏ，Ｏ１，Ｏ２    長孔
Ｋ              立て坑
ＭＨ            マンホール
【図１】
0004315605.tif 000002
【図２】
0004315605.tif 000003
【図３】
0004315605.tif 000004
【図４】
0004315605.tif 000005
【図５】
0004315605.tif 000006
【図６】
0004315605.tif 000007
【図７】
0004315605.tif 000008
【図８】
0004315605.tif 000009
【図９】
0004315605.tif 000010
【図１０】
0004315605.tif 000011
【図１１】
0004315605.tif 000012
【図１２】
0004315605.tif 000013